(57)【要約】  ビデオスクリーン画像中に変更をもたらす方法及び装置は、記録可能であるが視聴者には見えない着色バー、ストライプ等を、ランダムに選択された走査シーケンス及び／又は走査速度を用いてビデオスクリーン画像中に投影することが関連する。ランダムに選択された走査シーケンス及び／又は走査速度のそれぞれは、既知の時間間隔又はビデオスクリーン画像のコンテンツ内の変化といった既知のイベントが起きると選択される。
2005513582.tif 000002
【特許請求の範囲】
【請求項１】
スクリーン上に投影されたビデオ画像の複製を阻止する方法であって、
ａ）複数の所定の走査シーケンスから１つの走査シーケンスを選択する段階と、
ｂ）前記選択した走査シーケンスに従って、有限の時間の間、前記画像と同時に前記スクリーン上に複数の着色光ビームを投影する段階と、
ｃ）段階ａ）及びｂ）を少なくとも１回繰り返す段階と、
を有する方法。
【請求項２】
段階ａ）における前記走査シーケンスのうちの少なくとも１つは、前記複数の着色光ビームをスクロールすることを有する請求項１記載の方法。
【請求項３】
前記スクロールは、水平スクロールを有する請求項２記載の方法。
【請求項４】
前記スクロールは、垂直スクロールを有する請求項２記載の方法。
【請求項５】
前記スクロールは、斜めスクロールを有する請求項２記載の方法。
【請求項６】
段階ａ）における前記走査シーケンスのうち少なくとも１つは、前記複数の着色光ビームを点滅することを有する請求項１記載の方法。
【請求項７】
前記段階ｃ）は、所定のイベントが起こると行われる請求項１記載の方法。
【請求項８】
前記所定のイベントは、前記画像中に起こる請求項７記載の方法。
【請求項９】
前記画像中に起こる前記所定のイベントは、前記画像中に選択的に置かれる請求項８記載の方法。
【請求項１０】
前記選択段階は、ランダムに行われる請求項１記載の方法。
【請求項１１】
前記走査シーケンスのうちの少なくとも１つの走査速度は、前記投影画像のコンテンツに基づいて選択される請求項１記載の方法。
【請求項１２】
前記所定のイベントは、前記画像中の前記コンテンツのアスペクトを有し、前記画像の前記コンテンツは、前記画像中にマークが置かれるべきときを決定する請求項８記載の方法。
【請求項１３】
前記所定のイベントは、既知の色の所定のレベル、既知の画像、既知の時間間隔、及び、前記画像中に選択的に置かれるマークのうち少なくとも１つを有する請求項８記載の方法。
【請求項１４】
スクリーン上に投影されたビデオ画像の複製を阻止する装置であって、
前記画像と同時に前記スクリーン上への複数の着色光ビームを生成する光源装置と、
前記光源が、有限の時間の間、選択した走査シーケンスに従って前記着色光ビームを前記スクリーン上に投影するようにさせるプロセッサと、
を有する装置。
【請求項１５】
前記選択した走査シーケンスは、ランダムにされる請求項１４記載の装置。
【請求項１６】
前記走査シーケンスの走査速度は、前記投影画像のコンテンツに基づいて選択される請求項１４記載の装置。
【請求項１７】
前記プロセッサは、所定のイベントが起こると、異なる走査シーケンスを選択する請求項１４記載の装置。
【請求項１８】
前記プロセッサは更に、前記光源が、有限の時間の間、ランダムに選択された走査速度に従って前記着色光ビームを前記スクリーン上に投影するようにさせる請求項１４記載の装置。
【請求項１９】
前記プロセッサは、所定のイベントが起こると、異なる走査速度をランダムに選択する請求項１８記載の装置。
【請求項２０】
前記光源は、複数の発光ダイオードを有し、
前記発光ダイオードのうち少なくとも２つは、２つの異なる色を生成する請求項１４記載の装置。
【発明の詳細な説明】
【発明の詳細な説明】
【０００１】
本発明は、スクリーン画像の承認されていない複製を阻止する方法及び装置に係る。
【０００２】
シネマ劇場又はホーム劇場における画像投影は、当該技術において周知である。シネマ劇場では、投影装置が、白色光源をフィルムタイプ媒体上に捕捉された画像に通すことによってスクリーン上に画像を投影する。図１は、従来のフィルムタイプの前面投影系を示す。この系では、白色光源１１０が、シャッタ１１５を照射し、シャッタ１１５は、白色光の通過を毎秒４８フレームの公称速度で遮断する。シャッタ１１５が開くと、光源１１０からの白色光は、フィルム１２０上に投影される。フィルム１２０は、フレーム１２１、１２２、１２３、１２４、１２５等に含まれる複数の画像から構成される。周知であるように、各フレームは、僅かに異なる画像を有し、連続して投影されると、動きの認識をもたらす。この例示的な例では、フレーム１２３に含まれる画像が、光源１１０からの光がシャッタ１１５を通ると、レンズ１３０上に投影される。フレームは、シャッタ１１５の動作と同時に進められる。次に、レンズ１３０は、画像をスクリーン１４０上に投影する。スクリーン１４０上の画像は、スクリーン１４０から反射された画像として視聴者によって観察可能である。スクリーン１４０から反射した画像は、スクリーン１４０に向けられるビデオ記録装置（図示せず）によっても捕捉可能であり、このことは、投影されたビデオ画像の複製を可能にしてしまう。
【０００３】
従来の投影技術では、画像は、一般的に毎秒４８フレームの速度で露出される。更に、各画像は、画像の作為を阻止するよう二重にフラッシュされる。従って、画像は、毎秒２４フレームの公称速度で投影される。ビデオ記録装置は、一般的に、毎秒３０フレームで画像を記録する。投影速度と捕捉速度に差があるが、この差は、２つの異なるフレームレート間の不一致をカメラが無くすので視聴者には観察されない。更に、ビデオ記録装置の捕捉フレームレートは、投影フレームレートに一致するよう調節することもできる。
【０００４】
ビデオ記録又はカムコーダ装置を用いた、例えば、シネマ劇場においてスクリーンに投影されたビデオ画像の非承認の複製は、スタジオ、プロデューサ、配給会社、及び俳優にとって大きな問題である。各非承認の記録は、チケット販売の損失、ビデオ／ＤＶＤレンタル及び販売の損失につながる。カムコーダ装置がより小型になり、その再生品質が向上するにつれ、カムコーダ装置の暗い劇場における隠し撮りはより簡単に且つうまくいくようになってきている。従って、スクリーンに投影されたビデオ画像の非承認の複製は、増加する傾向にあり、というのは、映画劇場の所有者は、大きな怒りを買うことなくまた販売を損なうことなく劇場内に入る後援者を見つけることができないからである。従って、視聴観衆によって見られるビデオスクリーン画像に悪影響を与えることなく記録装置によって捕捉された画像に悪影響を与える方法が必要である。
【０００５】
従って、本発明は、視聴観衆によって見られるビデオスクリーン画像に悪影響を与えることなく記録装置によって捕捉された画像に悪影響を与える方法及び装置を提供することを目的とする。
【０００６】
この目的は、請求項１に記載する本発明の方法と、請求項１４に記載する本発明の装置とによって達成される。
【０００７】
本明細書及び図面に開示する方法及び装置は、ビデオ記録装置によって収集され捕捉されたビデオスクリーン画像中に変更をもたらす。本発明の原理によると、着色バー、ストライプ等が、ランダムに選択された走査シーケンスを用いてビデオスクリーン画像中に投影され、走査シーケンスのそれぞれは、既知の時間間隔又はビデオスクリーン画像中のコンテンツの変化といった既知のイベントが起きると選択される。本発明の１つの面では、変更及び干渉は、有限時間の間、ビデオスクリーン画像のコンテンツに基づいて着色光の投影されるバーの走査速度を変更することでもたらされることが可能である。例えば、ビデオスクリーン画像のコンテンツが制限された動作量を有すると公称走査速度より遅くされることが可能である。
【０００８】
更なる有利な実施例は、従属項に記載する。本発明のこれらの及び他の面は、以下に説明する実施例を参照しながら明らかに且つ説明する。
【０００９】
尚、図面は、本発明の概念を説明するためのものに過ぎず、本発明の制限の定義付けを意図するものではないことを理解するものとする。参照文字が付され得る同一の参照番号は、全図を通して、対応する部分を識別するよう用いられることを理解するものとする。
【００１０】
図２Ａは、本発明の原理に従い、シネマで上映される映画といったスクリーン上に投影されるビデオ画像に変更又は干渉をもたらす１つの例示的な反射光投影系を示す図である。図示する系では、マルチスペクトル光源２００が、光弁２５０上への、例えば、赤、緑、及び青といった着色光からなる一連のバー、ストライプ、又は他の形状を生成する。光弁２５０は、着色光のレベルを調節し、次に、光は、有限期間の間、投影されたビデオスクリーン画像と同時にスクリーン２６０上に投影される。この期間は、着色光のバーが、視聴者によってビデオスクリーン画像では可視ではないが、記録装置上に記録されるときには可視であるよう選択される。着色光のバーは、ランダムに選択される走査シーケンスに応じてスクリーン２６０上に投影される。そのような走査シーケンスの例は、以下に詳細に説明する好適なマルチスペクトル光源を用いて、図５Ａ−５Ｅ、図６Ａ−６Ｅ、及び図７Ａ−７Ｅに示す。従って、光源２００は、有限期間の間、赤、緑、及び青の光のバーを、図５Ａ−５Ｅに示す走査シーケンスに応じて、光弁２５０上に投影し得る。所定の時間間隔の経過、ビデオ画像シーンのコンテンツ等の既知のイベントにおいて、光源２００は、別の有限期間の間、赤、緑、及び青の光のバーを、図７Ａ−７Ｅに示す走査シーケンスに応じて、光弁２５０上に投影し得る。別の走査シーケンスをランダムに選択する処理は、既知のイベントの発生後に続く。例えば、走査シーケンスは、ビデオスクリーン画像のコンテンツが１つの色の既知のレベルを有するとき、又は、目には見えない光の存在が検出されるときに、変更され得る。変更及び干渉は、着色光の投影バーの走査速度を、ビデオスクリーン画像のコンテンツに基づいて、有限期間の間、変更することによっても、ビデオスクリーン画像中にもたらすことができる。例えば、走査速度は、ビデオスクリーン画像が制限された動作量を有するときに、公称走査速度に対し遅くされることが可能である。
【００１１】
従って、追加の画像（着色バー、ストライプ等）が、視聴者には見えないがビデオ記録装置２７０上では捕捉されるビデオスクリーン画像と同時の交互パターンで、スクリーン２６０上に投影される。ビデオ記録装置２７０上に記録されたビデオスクリーン画像が再生されると、スクリーン２６０上に投影された着色バー、ストライプ等が、視聴者によって観察可能となる。従って、記録されたビデオは、気持ちよく見ることが困難又は不可能である。
【００１２】
変更又は干渉は、周知の光投影系を用いて本発明の原理に従いビデオスクリーン画像中にもたらすことが可能である。この周知の光投影系は、画像を成分素子、即ち、画素に分割し、正しいカラー画像をレンダリングするよう赤、緑、及び青の光の色の異なるレベルを用いて個々の画素を投影することによって動作する。このような光投影系は、一般的に、後面投影ホーム劇場で用いられる。図２Ａの反射光投影系は、そのような光投影系を示す。この系では、マルチスペクトル光源２００は、白色光を生成する、アークランプといった強烈な白色光源ＬＳを有し、白色光は、以下の素子を用いて、ここでは、赤色光Ｒ、緑色光Ｇ、及び青色光Ｂである３つの原色成分に分解され得る。白色光によって衝突される第１の光学素子は、ダイクロイックフィルタＲＲである。ダイクロイックフィルタは、当該技術において、所望の色の光を反射し、残りの色の光を全て透過するよう用いられる。フィルタＲＲは、一連の追加の光学素子を通り９０度で白色光から赤色成分Ｒを反射するよう約４５度の角度に置かれる。一連の追加の光学素子のうちの第１の光学素子は、約９０度で赤色光の方向を変更する従来の鏡Ｍ１である。次に、赤色光Ｒは、赤色光のバーを形成する符号Ｓ１が付けられる光学スリット素子によって成形される。次に、この赤色光のバーは、赤色光のバーが光弁２５０全体をスクロールするよう回転プリズムＰ１を通る。このスクロール動作は、例えば、水平に、垂直に、又は斜めに光弁全体を多くの向きで進むことができるが、通常は、上から下に向けて垂直にスクロールされる。光弁２５０に到達する前に、赤色光のスクロールバーは、それぞれ、緑色光と青色光のみを反射する２つの別のダイクロイックフィルタＲＧ２及びＲＢを通過する。次に、赤色光のスクロールバーは、画像ブロックＩＢを通過し、反射光弁２５０上に到達する。光弁２５０は、赤画素情報で赤色光バーを変調して、画像の赤色部を形成し、この画像の赤色部は、スクリーン２６０に反射される。次に、スクリーン２６０は、画像の赤色部を観察者Ｏに反射する。
【００１３】
白色光の緑成分Ｇは、フィルタＲＲを透過し、緑色光Ｇのみを反射し、青色光Ｂを透過させることを可能にするダイクロイックフィルタＲＧ１を介して反射される。９０度方向を変更した緑色光は、第２の光学スリット素子Ｓ２と第２の回転プリズムＰ２を通過する。第２のスリットＳ２とプリズムＰ２は、赤色バーと同様に緑色光Ｇのスクロールバーを形成する。次に、緑色光Ｇのスクロールバーは、緑色光のスクロールバーを赤色光のスクロールバーと合わせるようダイクロイックフィルタＲＧ２によって反射される。２つのバーは重ならず、回転プリズムＰ１及びＰ２における調和された制御を介して光弁上のそれらの相対的な位置を維持する。次に、緑色バーは、画像ブロックＩＢまでダイクロイックフィルタＲＢを通過し、反射性光弁２５０上に到達する。光弁２５０は、画像の緑色の部分を形成するよう緑画素情報で緑色光を変調し、これは、スクリーン２６０に向けて反射される。次に、スクリーン２６０は、画像の緑の部分を観察者に向けて反射する。
【００１４】
白色光の青成分Ｂは、フィルタＲＲとＲＧ１を透過し、第３の光学スリット素子Ｓ３によって、青色バーに成形される。この色のバーは、次に、赤及び緑色光と同様に第３のプリズムＰ３を介してスクロールされる。青色光バーは、次に、第２の従来の鏡Ｍ２とダイクロイックフィルタＲＢから画像ブロックＩＢに反射し、更に反射型光弁２５０上に反射する。光弁２５０は、青画素情報によって青色光Ｂを変調し、画像の青部を形成し、これは、スクリーン２６０に向けて反射される。スクリーン２６０は、次に、画像の青色部を観察者に向けて反射する。より具体的には、青色光のスクロールバーは、いずれのバーも重ならず、光弁全体が照射されるよう緑色及び赤色光と合わされる。光の様々なバーが、光弁２５０全体を進行しながら、様々な画素情報が、観察者に積分されたカラー画像が現れるよう様々な光の色を変調するよう用いられる。
【００１５】
図２Ｂは、本発明の原理に従って、ビデオスクリーン画像中に変更又は干渉をもたらすために用いることのできる別のタイプの光投影系を示す。この系は、一般的に、透過光投影系として知られる。この系は、図２Ａに記載する反射光投影系と略同じタイプの着色光バーを生成するためのマルチスペクトル光源を使用する。この系における違いは、光弁２５０は、光がスクリーン２６０に向けて光弁２５０を透過する間に、光を変調する点である。スクリーン２６０は、観察者に向けて画像を反射する。
【００１６】
図３Ａは、本発明の原理によるマルチスペクトル光源３００の１つの例示的な実施例を示す。マルチスペクトル光源３００の詳細は、「APPARATUS  FOR  PROVIDING  MULTI-SPECTRAL  LIGHT  FOR  AN  IMAGE  PROJECTION  SYSTEM」なる名称で本願と同時に出願した上述の関連の同時係属中の特許出願中に記載される。光源３００は、本発明に従ってビデオスクリーン画像中に変更又は干渉をもたらすために、反射又は透過光投影系のいずれにも用いるのに適している。光源３００は、発光ダイオード（ＬＥＤ）群又は三組みのアレイを有する。各ＬＥＤ三組み３２５は、赤色ＬＥＤ３１０、緑色ＬＥＤ３１５、及び、青色ＬＥＤ３２０を有する。これらは全て、設計及び動作において従来通りである。各三組みのＬＥＤは、図示するように三角形に配置されるか、又は、任意の他の好適な配置にあり得る。
【００１７】
図３Ｂは、図３Ａのマルチスペクトル光源３００を用いた例示的な投影シーケンスを示す。この例では、複数の横列が、１つの制御可能なユニットとしてまとめられる。まとめることによって、１つの色のＬＥＤが点灯するときに投影される色の光の幅広のバー又はストライプを与える。この場合、ユニット３３０として示される最初の３つの図示する横列は、１つのユニットとして制御可能である。同様に、ユニット３４０として示される横列４−６と、ユニット３５０として示される横列７−９も別々に制御可能である。従って、この例示的な実施例において、ユニット３３０に含まれる各赤色ＬＥＤ３１０は、ユニット３４０に含まれる各緑色ＬＥＤ３１５とユニット３５０に含まれる各青色ＬＥＤ３２０が既知の時間の間点灯される間に点灯される。
【００１８】
図４Ａ−４Ｃは、図３Ａに具現化される光源３００によって投影されるスクロール赤色、緑色、及び青色ストライプを形成するための方法を説明するために、順次異なる時間における光源３００を示す。図４Ａでは、ユニット３３０における各赤色ＬＥＤ３１０が点灯され、ユニット３４０又は３５０では点灯されない。同様に、各緑色ＬＥＤ３１５は、ユニット３４０では点灯され、その間に、ユニット３５０における各青色ＬＥＤ３２０が点灯される。図４Ｂは、投影シーケンスにおける次の段階を示し、ユニット３５０における各赤色ＬＥＤ３１０が点灯され、ユニット３３０又は３４０では点灯されない。同様に、各緑色ＬＥＤ３１５は、ユニット３３０において点灯され、その間に、各青色ＬＥＤ３２０がユニット３４０において点灯される。図４Ｃは、投影シーケンスにおける更に次の段階を示し、ユニット３４０における各赤色ＬＥＤ３１０が点灯され、ユニット３３０又は３５０では点灯されない。同様に、各緑色ＬＥＤ３１５は、ユニット３５０において点灯され、その間に、各青色ＬＥＤ３２０がユニット３３０において点灯する。
【００１９】
この例示的な投影シーケンスにおいて、赤、緑、及び青色バーは、光源３００の下部から光源３００の上部に進行する。当然ながら、赤、緑、及び青色バーは、光源の上部から光源の下部に進むことも可能である。横列は、一度に３つ進むよう示されるが、横列は、一度に一横列進む又は一度に３横列以上進むことも考えられる。更に、バー又はストライプ間に隙間も設けられ得る。
【００２０】
図５Ａ−５Ｅは、図３Ａの光源を用い上述した例示的な走査シーケンスの１つを示す。図５Ａは、光源３００のＬＥＤの点灯の最初の順番を示す。図５Ｂは、２つの点灯されるＬＥＤを表し、５１０ａ、５１０ｃと示される点灯ＬＥＤは、上から下の方法で順序付けられる点灯ＬＥＤの順番を示す。図示するように、ＬＥＤ５１０ａ、５１０ｃは、ここでは、例示的な３×９光源３００の第２の横列に示す。図５Ｃでは、ＬＥＤ５１０ａ、５１０ｃは、例示的な３×９光源３００の第３の横列に示す。図５Ｄ及び５Ｅは、更に、ＬＥＤ点灯の上から下へのシーケンスを示す。この場合、ＬＥＤ５１０ａ、５１０ｃは、それぞれ、光源３００の第４の横列、第５の横列で点灯されるよう示す。従って、ＬＥＤの点灯が、光源３００の横列を進む間に、着色光の水平バー又はストライプが、図３Ｃに示す光弁上に投影される。
【００２１】
図６Ａ−６Ｅは、図３Ａの光源を用いた別の例示的な走査シーケンスを示す。この例示的なシーケンスでは、出力される光の着色バーのシーケンスは、個々の横列における点灯ＬＥＤの順番が変更する間に逆にされる。この例では、図６Ａは、光源３００の第２の横列における点灯ＬＥＤ５１０ａ、５１０ｃを示す。図６Ｂは、光源３００の第１の横列における点灯ＬＥＤ５１０ａ、５１０ｃを示し、図６Ｃは、光源３００の最後の横列における点灯ＬＥＤ５１０ａ、５１０ｃを示す。同様に、図６Ｄ及び６Ｅは、それぞれ、光源３００の第８の横列及び第７の横列における点灯ＬＥＤ５１０ａ、５１０ｃを示す。従って、この例では、作動、従って、走査シーケンスは、出力される着色光のバーの順番が、下から上への順番となるよう変更される。正しい投影画像を形成するために、対応する変更が光弁アドレッシングで行われなければならない。
【００２２】
図７Ａ−７Ｅは、図３Ａの光源を用いた更に別の例示的な走査シーケンスを示す。この例示的な例では、１つの横列における各三組みにおいて違うＬＥＤが点灯される。この場合、点灯ＬＥＤの移動は、光源３００の縦列内で起きる。より具体的には、ＬＥＤ５１０ａは、光源３００の第１の横列及び第１の縦列で点灯され、ＬＥＤ５１０ｃは、光源３００の第３の横列と第３の（最後の）縦列で点灯され、５１０ｃは、光源３００の第３の横列と第２の縦列で点灯すると示される。図７Ｂは、点灯ＬＥＤ構成における次の段階を示す。この例では、ＬＥＤ５１０ａは、光源３００の第１の横列と第３の（最後の）縦列で点灯されると示される。図７Ｃは、点灯ＬＥＤ構成の更に次の段階を示す。この例では、点灯５１０ａは、光源３００の第１の横列と第２の縦列に位置付けられ、ＬＥＤ５１０ｃは、光源３００の第３の横列と第１の横列に位置付けられる。図７Ｅ及び図７Ｅは、点灯ＬＥＤの移動パターンを更に示す。これらの例では、ＬＥＤ５１０ａは、それぞれ、第１の縦列と、次に、最後の縦列に示される。従って、斜めの着色光のバー又はストライプが、図３Ｃ及び３Ｄに示す光弁３５０上に投影される。当然ながら、着色光の垂直のストライプは、光源３００の縦列内の同様の色のＬＥＤを選択且つ移動させることによって出力することができる。複数のＬＥＤを選択して、様々な光弁又は光学的要件に応じて、幅広の又は細い着色光のバーを有し得る。
【００２３】
図３Ａのマルチスペクトル光源３００は、図３Ｃに示す反射光投影系、又は、図３Ｄに示す透過光投影系に用いられ、ビデオスクリーン画像中に変更又は干渉をもたらし得る。図示する系では、光源３００は、着色光のバーを、光弁３５０上に投影する。光弁３５０は、着色光、即ち、赤、緑、及び青のレベルを調節し、次に、これらは、スクリーン２６０上に投影される。着色光のバー又はストライプを投影する走査シーケンスは、上述した図５Ａ−５Ｅ、図６Ａ−６Ｅ、及び図７Ａ−７Ｅに示す例に示されるような複数のシーケンスから選択される。従って、光源３００は、有限の時間の間、赤、緑、及び青色光のバーを、図５Ａ−５Ｅに示すシーケンスを用いて投影し得る。例えば、所定の時間間隔の経過、シーン画像のコンテンツ等の既知のイベントの判断において、別のシーケンス、例えば、図７Ａ−７Ｅに示すシーケンスが、次に、赤、緑、及び青色光のバーを光弁３５０上に投影するよう用いられる。
【００２４】
図８は、本発明の原理に従い、点灯の走査シーケンスを制御し且つ変更するために必要な処理の１つの例示的なフローチャートを示す。段階８１０において、着色光のバー又はストライプが、既知の技術を用いて投影される。例えば、図４Ａを参照するに、ユニット３３０における赤色ＬＥＤ３１０、ユニット３４０における緑色ＬＥＤ３１５、及びユニット３５０における青色ＬＥＤ３２０は、着色光の水平バーを与えるよう点灯される。段階８２０において、各ＬＥＤが十分な時間の間点灯されたか否かに関し決定がなされる。十分な時間の間点灯されない場合は、処理は、所望の時間が達成されるまで待つよう続けられる。しかし、十分な時間の間点灯される場合は、段階８３０において、点灯パターンが、既知のシーケンスに従って変更される。
【００２５】
段階８４０において、現在の投影シーケンスを変更するイベントが発生したか否かが判断される。イベントが発生しない場合、段階８３０において決定された点灯パターンが続けられる。
【００２６】
しかし、イベントが発生する場合、段階８５０において、新しいシーケンスが、複数の代替のシーケンスから選択される。走査シーケンスは、着色バー又はストライプが、上から下へ、又は、下から上への方法で投影されるよう選択され得る。同様に、点灯走査シーケンスは、着色バー又はストライプが、左から右へ、右から左へ、垂直、又は斜めの方法で投影されるよう選択されることも可能である。
【００２７】
本発明は、特定の度合いの特殊性を有する好適な形で説明且つ図示したが、好適な形の現開示は、例示的に過ぎず、構成の詳細と、部品の組合わせ及び配置における様々な変化を、本発明の技術的精神及び特許請求の範囲から逸脱することなく行い得る。同じ結果を達成するよう実質的に同じように実質的に同じ機能を実行するこれらの素子及び／又は方法段階の全ての組合わせは、本発明の範囲内である。１つの記載する実施例からの素子を別の実施例への代入も、十分に範囲内であり考慮される。
【図面の簡単な説明】
【００２８】
【図１】従来の機械的なフィルムタイプの反射投影系を示す図である。
【図２Ａ】本発明の原理に従いビデオスクリーン画像中に変更又は干渉をもたらす例示的な反射光投影系を示す図である。
【図２Ｂ】本発明の原理に従いビデオスクリーン画像中に変更又は干渉をもたらす例示的な透過光投影系を示す図である。
【図３Ａ】本発明の原理によるマルチスペクトル光源の例示的な実施例を示す図である。
【図３Ｂ】図３Ａに示すマルチスペクトル光源を用いる例示的な投影走査シーケンスを示す図である。
【図３Ｃ】図３Ａに示すマルチスペクトル光源を用いる例示的な反射光投影系を示す図である。
【図３Ｄ】図３Ａに示すマルチスペクトル光源を用いる例示的な透過光投影系を示す図である。
【図４Ａ】図３Ａに示すマルチスペクトル光源によって投影可能なスクロール赤、緑、及び青色光バー又はストライプを形成するための１つの方法を示すために順次異なる時間における上述の光源を示す図である。
【図４Ｂ】図３Ａに示すマルチスペクトル光源によって投影可能なスクロール赤、緑、及び青色光バー又はストライプを形成するための１つの方法を示すために順次異なる時間における上述の光源を示す図である。
【図４Ｃ】図３Ａに示すマルチスペクトル光源によって投影可能なスクロール赤、緑、及び青色光バー又はストライプを形成するための１つの方法を示すために順次異なる時間における上述の光源を示す図である。
【図５Ａ】図３Ａのマルチスペクトル光源を用いる本発明の原理による１つの例示的な走査シーケンスを示す図である。
【図５Ｂ】図３Ａのマルチスペクトル光源を用いる本発明の原理による１つの例示的な走査シーケンスを示す図である。
【図５Ｃ】図３Ａのマルチスペクトル光源を用いる本発明の原理による１つの例示的な走査シーケンスを示す図である。
【図５Ｄ】図３Ａのマルチスペクトル光源を用いる本発明の原理による１つの例示的な走査シーケンスを示す図である。
【図５Ｅ】図３Ａのマルチスペクトル光源を用いる本発明の原理による１つの例示的な走査シーケンスを示す図である。
【図６Ａ】図３Ａのマルチスペクトル光源を用いる本発明の原理による第２の例示的な走査シーケンスを示す図である。
【図６Ｂ】図３Ａのマルチスペクトル光源を用いる本発明の原理による第２の例示的な走査シーケンスを示す図である。
【図６Ｃ】図３Ａのマルチスペクトル光源を用いる本発明の原理による第２の例示的な走査シーケンスを示す図である。
【図６Ｄ】図３Ａのマルチスペクトル光源を用いる本発明の原理による第２の例示的な走査シーケンスを示す図である。
【図６Ｅ】図３Ａのマルチスペクトル光源を用いる本発明の原理による第２の例示的な走査シーケンスを示す図である。
【図７Ａ】図３Ａのマルチスペクトル光源を用いる本発明の原理による別の例示的な走査シーケンスを示す図である。
【図７Ｂ】図３Ａのマルチスペクトル光源を用いる本発明の原理による別の例示的な走査シーケンスを示す図である。
【図７Ｃ】図３Ａのマルチスペクトル光源を用いる本発明の原理による別の例示的な走査シーケンスを示す図である。
【図７Ｄ】図３Ａのマルチスペクトル光源を用いる本発明の原理による別の例示的な走査シーケンスを示す図である。
【図７Ｅ】図３Ａのマルチスペクトル光源を用いる本発明の原理による別の例示的な走査シーケンスを示す図である。
【図８】本発明の原理に従いビデオスクリーン画像中に干渉をもたらす例示的な処理のフローチャートを示す図である。
【図２Ｂ】
2005513582.tif 000003
【図３Ａ】
2005513582.tif 000004
【図１】
2005513582.tif 000005
【図２Ａ】
2005513582.tif 000006
【図３Ｂ】
2005513582.tif 000007
【図３Ｃ】
2005513582.tif 000008
【図３Ｄ】
2005513582.tif 000009
【図４Ａ】
2005513582.tif 000010
【図４Ｂ】
2005513582.tif 000011
【図４Ｃ】
2005513582.tif 000012
【図５Ａ】
2005513582.tif 000013
【図５Ｂ】
2005513582.tif 000014
【図５Ｃ】
2005513582.tif 000015
【図５Ｄ】
2005513582.tif 000016
【図５Ｅ】
2005513582.tif 000017
【図６Ａ】
2005513582.tif 000018
【図６Ｂ】
2005513582.tif 000019
【図６Ｃ】
2005513582.tif 000020
【図６Ｄ】
2005513582.tif 000021
【図６Ｅ】
2005513582.tif 000022
【図７Ａ】
2005513582.tif 000023
【図７Ｂ】
2005513582.tif 000024
【図７Ｃ】
2005513582.tif 000025
【図７Ｄ】
2005513582.tif 000026
【図７Ｅ】
2005513582.tif 000027
【図８】
2005513582.tif 000028
【手続補正書】
【提出日】平成16年10月29日(2004.10.29)
【手続補正１】
【補正対象書類名】明細書
【補正対象項目名】００２２
【補正方法】変更
【補正の内容】
【００２２】
図７Ａ−７Ｅは、図３Ａの光源を用いた更に別の例示的な走査シーケンスを示す。この例示的な例では、１つの横列における各三組みにおいて違うＬＥＤが点灯される。この場合、点灯ＬＥＤの移動は、光源３００の縦列内で起きる。より具体的には、ＬＥＤ５１０ａは、光源３００の第１の横列及び第１の縦列で点灯され、ＬＥＤ５１０ｃは、光源３００の第３の横列と第３の（最後の）縦列で点灯されると示される。図７Ｂは、点灯ＬＥＤ構成における次の段階を示す。この例では、ＬＥＤ５１０ａは、光源３００の第１の横列と第３の（最後の）縦列で点灯されると示される。図７Ｃは、点灯ＬＥＤ構成の更に次の段階を示す。この例では、点灯５１０ａは、光源３００の第１の横列と第２の縦列に位置付けられ、ＬＥＤ５１０ｃは、光源３００の第３の横列と第１の横列に位置付けられる。図７Ｅ及び図７Ｅは、点灯ＬＥＤの移動パターンを更に示す。これらの例では、ＬＥＤ５１０ａは、それぞれ、第１の縦列と、次に、最後の縦列に示される。従って、斜めの着色光のバー又はストライプが、図３Ｃ及び３Ｄに示す光弁３５０上に投影される。当然ながら、着色光の垂直のストライプは、光源３００の縦列内の同様の色のＬＥＤを選択且つ移動させることによって出力することができる。複数のＬＥＤを選択して、様々な光弁又は光学的要件に応じて、幅広の又は細い着色光のバーを有し得る。
【手続補正２】
【補正対象書類名】図面
【補正対象項目名】図３Ａ
【補正方法】変更
【補正の内容】
【図３Ａ】
2005513582.tif 000029
【手続補正３】
【補正対象書類名】図面
【補正対象項目名】図５Ｂ
【補正方法】変更
【補正の内容】
【図５Ｂ】
2005513582.tif 000030
【手続補正４】
【補正対象書類名】図面
【補正対象項目名】図５Ｄ
【補正方法】変更
【補正の内容】
【図５Ｄ】
2005513582.tif 000031
【手続補正５】
【補正対象書類名】図面
【補正対象項目名】図５Ｅ
【補正方法】変更
【補正の内容】
【図５Ｅ】
2005513582.tif 000032
【手続補正６】
【補正対象書類名】図面
【補正対象項目名】図６Ａ
【補正方法】変更
【補正の内容】
【図６Ａ】
2005513582.tif 000033
【手続補正７】
【補正対象書類名】図面
【補正対象項目名】図６Ｂ
【補正方法】変更
【補正の内容】
【図６Ｂ】
2005513582.tif 000034
【手続補正８】
【補正対象書類名】図面
【補正対象項目名】図６Ｃ
【補正方法】変更
【補正の内容】
【図６Ｃ】
2005513582.tif 000035
【手続補正９】
【補正対象書類名】図面
【補正対象項目名】図７Ｂ
【補正方法】変更
【補正の内容】
【図７Ｂ】
2005513582.tif 000036
【手続補正１０】
【補正対象書類名】図面
【補正対象項目名】図７Ｃ
【補正方法】変更
【補正の内容】
【図７Ｃ】
2005513582.tif 000037
【国際調査報告】
2005513582.tif 000038
2005513582.tif 000039